(57)【特許請求の範囲】
【請求項１】
毒餌剤を収容する容器本体と、この容器本体と離間している蓋体とからなり、かつ平面の基本形状が、正方形、長方形、及び、三角形またはＬ字形のいずれか一方からなる複数の容器を、
折り曲げることにより容易に切断可能な連結片にて一体状に、かつ全体の平面形状が長方形になるように連結したことを特徴とする毒餌剤容器集合体。
【請求項２】
容器相互を連結する複数の連結箇所が、毒餌剤容器集合体の縦方向あるいは横方向の少なくとも１箇所において、毒餌剤容器集合体の縦方向線あるいは横方向線のどちらか一方の線上にあることを特徴とする請求項１に記載の毒餌剤容器集合体。
【請求項３】
連結片を、蓋体相互、容器本体相互のいずれか一方に設けたことを特徴とする請求項１，２のいずれか１項に記載の毒餌剤容器集合体。
【発明の詳細な説明】
【技術分野】
【０００１】
本発明は、ゴキブリやアリ等の匍匐害虫を駆除するための毒餌剤等を収納した容器を容易に切り離し可能に多数個連結して取り扱いやすい形にした毒餌剤容器集合体に関するものである。
【背景技術】
【０００２】
従来の、例えば上記した毒餌剤用容器は、１個ずつ単体状にして包装したもの、あるいは多数個を連結して包装したものが実用化されていた。
【発明の概要】
【発明が解決しようとする課題】
【０００３】
従来の容器で、１個ずつ単体にしたものは、１個ずつ取り扱うには便利であるが、複数個まとめて取り扱う場合でも個々に包装しなければならないという不具合があった。一方、多数個を連結したものは、包装には便利であるが、使用時に折りにくいことから、カッターを用いて切断しなければならないという商品上の不具合があった。
【０００４】
また、上記毒餌用容器は、複数個の同形状の容器であり、いろいろな使用箇所（置き場所）がある台所等で使用する場合、形状によっては置きにくい場所も多く不便であった。
【０００５】
本発明は上記のことに鑑みなされたもので、複数の、しかも各個で異なる形状の容器を取り扱いやすい長方形にまとめて包装できるようにし、また、個々の容器としても容易に分離して用いることができるようにした毒餌剤容器集合体を提供することを目的とするものである。
【課題を解決するための手段】
【０００６】
上記目的を達成するために、本発明に係る毒餌剤容器集合体は、毒餌剤を収容する容器本体と、この容器本体と離間している蓋体とからなり、かつ平面の基本形状が、正方形、長方形、及び、三角形またはＬ字形のいずれか一方からなる複数の容器を、折り曲げることにより容易に切断可能な連結片にて一体状に、かつ全体の平面形状が長方形になるように連結した構成にした。
【０００７】
そして上記容器相互を連結する複数の連結箇所が、毒餌剤容器集合体の縦方向あるいは横方向の少なくとも１箇所において、毒餌剤容器集合体の縦方向線あるいは横方向線のどちらか一方の線上にあり、また、上記連結片を、蓋体相互、容器本体相互のいずれか一方に設けた。
【発明の効果】
【０００８】
本発明によれば、複数の、しかも各個で異なる形状の容器を、全体の平面形状が取り扱いやすい形状の長方形にまとめて構成でき、これによりこれらの容器の取り扱い及び包装を容易にすることができる。そしてこの異なる形状の容器を使用場所に応じて任意に用いることができる。
【０００９】
また、毒餌剤容器集合体を構成する個々の容器は、連結片を折り曲げてこれを切断することにより１個１個分離される。このとき、複数の連結箇所が毒餌剤容器集合体の縦方向線あるいは横方向線のどちらか一方の線上にある部分で切断することにより、少なくとも一方が複数個の容器ごとまとめて切断され、その後、順次１個ずつ切断される。また、連結片が、蓋体側と容器本体のいずれか一方にあることにより、容器相互は連結片を折り曲げることにより、容易に切断分離される。これにより、個々の容器としても容易に分離して用いることができる。
【図面の簡単な説明】
【００１０】
【図１】本発明の実施の形態を示す平面図である。
【図２】本発明の実施の形態を示す底面図である。
【図３】本発明の実施の形態を示す側面図である。
【図４】図１のＡ−Ａ線に沿う断面矢視図である。
【図５】容器を個々に分離した状態を示す平面図である。
【図６】容器を個々に分離した状態を示す斜視図である。
【図７】他の実施の形態を示す概略的な斜視図である。
【図８】他の実施の形態を示す平面図である。
【図９】他の実施の形態を模式的に示す平面図である。
【図１０】他の実施の形態を模式的に示す平面図である。
【図１１】他の実施の形態を模式的に示す平面図である。
【発明を実施するための形態】
【００１１】
本発明の実施の形態を図面に基づいて説明する。図中１は３種類の異なる形状の第１・第２・第３の容器１ａ，１ｂ，１ｃを９個集合させた毒餌剤容器集合体である。第１の容器１ａは略長方形、第２の容器１ｂは略正方形、第３の容器１ｃは略三角形状であり、これらの各容器１ａ〜１ｃは平面面積が小さくなるように、かつ平面形状が包装しやすい単純な形状である長方形になるように相互が連結してある。
【００１２】
すなわち、例えば、第１の容器１ａの長辺の長さがＬであるときに、第２の容器１ｂの各辺の長さが略Ｌ／２に、また、第３の容器１ｃの直角部両側の２辺の各長さが略Ｌ／２になっていて、長手方向両側に第１の容器１ａを縦向きにして配置し、一方の第１の容器１ａ側に２個の第２の容器１ｂを、またこの第２の容器１ｂと他方の第１の容器１ａとの間に、第３の容器１ｃのそれぞれの斜面を対向させて四角状に配置すると共に、この各斜面が対向する空間に第２の容器１ｂを配置する。これにより毒餌剤容器集合体１は図１に示すように、平面形状が第１の容器１ａの長辺の長さを幅とする長方形に構成される。そして各容器１ａ〜１ｃの隣接するものの相互が連結されている。
【００１３】
上記毒餌剤容器集合体１を構成する各容器１ａ〜１ｃは、例えばゴキブリやアリ等の匍匐害虫を駆除するための毒餌剤等を収納するようにした容器で、この各容器１ａ〜１ｃは図４に示すように、蓋体３と容器本体４とが、それぞれの対向間に設けた脚部５にて離間されていると共に、容器本体４に毒餌剤等を置くための支持台６が周囲を開放した状態で設けてある。
【００１４】
また、容器の収納物として、食餌と殺虫剤を混ぜた毒餌剤の他に、捕足する粘着剤や、接触させて殺虫する接触性殺虫剤や誘引性のある殺虫剤など、あるいはナメクジ、ダンゴムシなどの害虫の駆除剤も挙げられる。
【００１５】
そして上記各容器１ａ〜１ｃの相互は、蓋体３の相互を蓋体３側の連結片２ａにて、また、容器本体４の相互を容器本体４側の連結片２ｂにて連結されている。この両側の連結片２ａ，２ｂは、連結片２ａ，２ｂを切り離した状態を示す図６に示したように、容器相互が対向する連結縁に沿って平面方向に位置がずれている。なお、この実施の形態では第１の容器１ａと他の容器１ｂ，１ｃとを連結する連結片２ａ，２ｂは、蓋体３側と容器本体４側の双方が平面方向に同一位置に設けている。
【００１６】
上記各連結片２ａ，２ｂは容器を構成する部分より薄くして折り曲げることにより容易に切断できるようになっている。図５は図１に示した毒餌剤容器集合体１の各容器１ａ〜１ｃを切断分離した状態を示す。
【００１７】
上記毒餌剤容器集合体１において、個々の容器を連結する連結片２ａ，２ｂを設ける位置は特に問わないが、毒餌剤容器集合体１の縦方向、横方向の少なくとも１個所において毒餌剤容器集合体１の縦方向あるいは横方向の線上に複数個の容器の連結片２ａ，２ｂが位置するようになっている。
【００１８】
すなわち、図１において、ａ，ｂ，ｃの３個所において、連結片２ａ，２ｂが縦方向の線上にあり、この部分で切断することにより、少なくとも一方が複数となるようにまとめて切断されるようになっている。
【００１９】
上記蓋体３側と容器本体４側の双方の連結片２ａ，２ｂのうち、少なくとも一方、例えば容器本体４側の連結片２ｂだけ設けてもよい。この場合、各容器１ａ〜１ｃの切断分離がより容易になる。
【００２０】
なお、各容器１ａ〜１ｃの蓋体３と容器本体４のそれぞれは連結片２ａ，２ｂで連結されていることにより複数個分ずつの蓋体３と容器本体４とが、例えば図１に示す全体形状に沿う形に一体成形し、その後、蓋体３と容器本体４とを組み立て、複数個分の容器を同時に得ることができる。そして蓋体３あるいは容器本体４のいずれか一方にのみ連結片２ａ，２ｂを設ける場合には、上記したように、蓋体３、容器本体４を各容器ごとで連結片２ａ，２ｂで連結した状態で一体成形し、両者を組立ててから、蓋体３側あるいは容器本体４側の連結片２ａ，２ｂをカッター等で切断する。
【００２１】
一方、図７に示すように、互いに連結しようとする容器１ａ，１ｂの高さが異なる場合は、一方、例えば隣接する蓋体３が互いに対向しないので、この場合は容器本体４側にてのみ連結する。
【００２２】
上記毒餌剤容器集合体１はプラスチック、特に折り曲げにより容易に切断可能なプラスチックにて成形する。また、連結片２ａ，２ｂの幅は１５ｍｍ以下が、また両容器を連結する長さ（容器間隔）は２〜３ｍｍが好ましい。そして、この連結片２ａ，２ｂの厚さは１．５ｍｍ以下、好ましくは１．０〜０．５ｍｍの範囲がよく、さらに、切断する部分は表側と裏側から溝が設けてあり、この切断部分の厚さは０．８ｍｍ以下、好ましくは０．５〜０．２ｍｍの範囲になっている。
【００２３】
上記構成において、図１にて示す毒餌剤容器集合体１の個々の容器を用いるには、個々の容器１ａ〜１ｃを連結している連結片２ａ，２ｂの部分で切断する。この連結片２ａ，２ｂの部分は他の部分より薄くなっていると共に、これの連結幅も１５ｍｍ以下であること、及び毒餌剤容器集合体１を構成しているプラスチックが折れやすい材料であることにより、この部分を折り曲げることにより容易に切断される。また、この実施の形態では、蓋体３側と容器本体４側の各連結片２ａ，２ｂが平面方向にずらせてあることにより、連結部を折り曲げたときに、両連結片２ａ，２ｂにねじれ力が作用して切断しやすい。なお、場合によってはこの連結片２をカッターで切断してもよい。
【００２４】
なおこのとき、複数の容器の連結片２ａ，２ｂがａ，ｂ，ｃの位置で縦方向に位置していることにより、このａ，ｂ，ｃの位置において、複数個の容器をまとめて切断できる。この場合、容器の使用箇所に応じて、すなわち、隅部では三角形あるいは正方形、タンス等の間の狭い部分では長方形のものを選択的して切離して用いる。
【００２５】
図８から図１１は毒餌剤容器集合体としての各容器１ａ〜１ｃの配置の仕方の他例を示すもので、図８に示すものは、一方の第１の容器１ａを第２と第３の容器１ｂ，１ｃ間に位置させた例を示す。この場合、三角形状の第３の容器１ｃが端部に位置されることにより、この第３の容器１ｃだけを切離することができる。
【００２６】
図９に示すものは、毒餌剤容器集合体１を構成する各容器の形状及び個数が、略正方形状の第２の容器１ｂが４個、略三角形状の第４の容器１ｄが４個の総数８個となっている。
【００２７】
図１０に示すものは、略正方向形状の第２の容器１ｂが３個、正方形の略１／４を切除した形状の略Ｌ形状の第５の容器１ｅが４個、略長方形状の第１の容器１ａが２個の総計９個となっている。
【００２８】
図１１に示すものは、略正方形状の第２の容器１ｂが２個、第５の容器１ｅが２個、第１の容器１ａが１個、第１の容器１ａより幅が広い略長方形状の第６の容器１ｆが２個、さらに寸法が少し異なる第７の容器１ｇが１個の総計９個となっている。
【符号の説明】
【００２９】
１…毒餌剤容器集合体、１ａ，１ｂ，１ｃ，１ｄ，１ｅ，１ｆ…容器、２ａ，２ｂ…連結片、３…蓋体、４…容器本体、５…脚部、６…支持台
【図１】
0005492820.tif 000002
【図２】
0005492820.tif 000003
【図３】
0005492820.tif 000004
【図４】
0005492820.tif 000005
【図５】
0005492820.tif 000006
【図６】
0005492820.tif 000007
【図７】
0005492820.tif 000008
【図８】
0005492820.tif 000009
【図９】
0005492820.tif 000010
【図１０】
0005492820.tif 000011
【図１１】
0005492820.tif 000012